(57)【要約】【課題】  印刷ジョブ内にカラーページと白黒ページが混在するケースの場合においても、カラーページ用のカラー調整と白黒ページ用のカラー調整が容易に行われるようにする。【解決手段】  カラーページまたは白黒ページを自動的に認識して、色調整データによってカラーページ用または白黒ページ用のそれぞれ個別に設定可能で、かつ前記色調整データである色のお気に入りをホットフォルダに設定する手段とを兼ね備えた画像処理装置とする。【選択図】  図１
2007018159.tif 000002
【特許請求の範囲】
【請求項１】
ネットワーク上に複数のカラー印刷機と複数のクライアントPCとが介在した画像処理装置であって、複数のカラー印刷機よりカラーパッチを出力し、各カラー印刷機を管理する印刷オペレータによって付属の測色機によって測色データを取得する手段と、前記測色データをネットワーク上に存在する各カラー印刷機の色管理を一手に引き受けるカラー管理者に転送する手段と、前記カラー管理者が各印刷オペレータより転送されたカラー印刷機の測色データなどの出力特性情報に基づき、前記各カラー印刷機でのカラー再現状態をマッチングさせるためのカラープロファイルデータを作成する手段と、前記作成したカラープロファイルデータを含み、その他色調整情報を加えたデータの集合体である色のお気に入りを作成する手段と、前記色のお気に入りをカラー管理者よりネットワーク上の各印刷オペレータが管理するカラー印刷機を制御するクライアントPCへ転送する手段を備えることを特徴とする画像処理装置。
【請求項２】
印刷データを保存する記憶領域であるホットフォルダに印刷データを保存する手段と、当該ホットフォルダに対して設定情報としてホットフォルダ情報をホットフォルダごとに設定する手段と、当該ホットフォルダを所定の時間ごとに監視するための監視手段と、監視手段によって印刷データを検知した場合に、前記ホットフォルダ情報に定められた条件をチェックするチェック手段と、前記チェック手段によって条件を満たした場合に、印刷ジョブとして出力する手段とを備えることを特徴とする画像処理装置。
【請求項３】
前記請求項２に記載の画像処理装置において、ホットフォルダ内に保存された印刷データに対して、ページ単位にカラーページ、白黒ページとを自動的に判断する判断手段とを備えることを特徴とする画像処理装置。
【請求項４】
前記請求項１〜請求項３のいずれかに記載の画像処理装置において、色のお気に入りをホットフォルダ情報におけるカラー設定に設定する手段と、前記設定手段によってホットフォルダごとに色のお気に入りを個別に設定する手段と、印刷ジョブごとにカラー設定に設定した色のお気に入りを選択する手段とを備えることを特徴とする画像処理装置。
【請求項５】
前記請求項４に記載の画像処理装置において、カラー設定に設定する色のお気に入りが、カラーページ用と白黒ページ用とを設定可能な手段を備えることを特徴とする画像処理装置。
【請求項６】
前記請求項５に記載の画像処理装置において、印刷データにカラーページと白黒ページが混在する印刷ジョブに対して、カラーページにはカラー用のカラー設定である色のお気に入りを適用する手段と、白黒ページには白黒用のカラー設定である色のお気に入りを適用する手段とを、印刷実行時に自動的に適用し印刷する手段とを備えることを特徴とする画像処理装置。
【発明の詳細な説明】
【技術分野】
【０００１】
本発明は画像処理装置および制御装置に関し、例えばカラープロファイルを用いたカラーマッチングなどの色処理を実施する画像処理装置および印刷制御方法に関する。
【背景技術】
【０００２】
近年、画像データのカラー化と共に高品質なデジタル画像が普及する中、DTP（DeskTop Publishing）などの印刷業務におけるコンピュータの役割は大部分を占めている。プリンタの高機能・高品質化も相俟って、大規模な商用印刷所から企業内の印刷部門までコンピュータから出力された画像データを、そのまま受け付けて印刷を行う環境が浸透し始めて来ている。そこで、印刷部数が増えることで印刷機を同時に複数台稼動して印刷を行い、あるいは遠隔地への輸送費用などのコスト削減の目的で、同じモノを遠隔地のプリンタを使用して印刷を実施するケースも増えてきている。また現在では一般的になってきたが、あるディスク内のフォルダを印刷ジョブ蓄積領域と定め、そのフォルダに対して投げ込まれた印刷ジョブをフォルダに設定されたプリンタに対して印刷実行するホットフォルダを利用するケースも考えられる。しかし、大量の印刷ジョブを扱う印刷拠点では、印刷ジョブ内にカラーページと白黒ページが混在するケースの場合、カラーページと白黒ページの区別なく同じカラー調整が用いられていた。
【０００３】
又、別の従来例としては、特許文献１及び特許文献２をあげることが出来る。
【特許文献１】特開平０８−３３５１５０号公報
【特許文献２】特開２００１−１９５２２０号公報
【発明の開示】
【発明が解決しようとする課題】
【０００４】
しかしながら、上記従来の技術ではプリンタごとに配置された印刷オペレータが、担当するプリンタごとに色調整を行い、担当する大量の印刷ジョブは各印刷オペレータが担当するプリンタで処理するか、ネットワーク上に存在する後述するホットフォルダ管理サーバーなどで管理するホットフォルダにジョブを投げ込むことで、ネットワーク上の別のプリンタに印刷ジョブを分割させていた。そのため、カラーページと白黒ページが混在する印刷ジョブや白黒ページのみの印刷ジョブなどに、白黒ページであってもカラーページの色調整を適用させていたため、必要のない処理を実施してコストが嵩み、また、カラーページを基準として調整するため白黒ページの出力結果が上手く出せないと言った問題を抱えていた。
【０００５】
本発明は上記問題を解決するために考案されたものであり、印刷ジョブがカラーページと白黒ページが混在して一つの印刷ジョブで構成されている場合、カラーページまたは白黒ページを自動的に認識して、色調整データ（後述する色のお気に入り）によってカラーページ用または白黒ページ用のそれぞれ個別に設定可能で、かつ前記色調整データである色のお気に入りをホットフォルダに設定する手段とを兼ね備えた画像処理装置および制御方法を提供することを目的とする。
【課題を解決するための手段】
【０００６】
ネットワーク上に複数のカラー印刷機と複数のクライアントPCとが介在した画像処理装置および制御方法であって、複数のカラー印刷機よりカラーパッチを出力し、各カラー印刷機を管理する印刷オペレータによって付属の測色機によって測色データを取得する手段と、前記測色データをネットワーク上に存在する各カラー印刷機の色管理を一手に引き受けるカラー管理者に転送する手段と、前記カラー管理者が各印刷オペレータより転送されたカラー印刷機の測色データなどの出力特性情報に基づき、前記各カラー印刷機でのカラー再現状態をマッチングさせるためのカラープロファイルデータを作成する手段と、前記作成したカラープロファイルデータを含み、その他色調整情報を加えたデータの集合体である色のお気に入りを作成する手段と、前記色のお気に入りをカラー管理者よりネットワーク上の各印刷オペレータが管理するカラー印刷機を制御するクライアントPCへ転送する手段を備えることを特徴とする。
【０００７】
印刷データを保存する記憶領域であるホットフォルダに印刷データを保存する手段と、当該ホットフォルダに対して設定情報としてホットフォルダ情報をホットフォルダごとに設定する手段と、当該ホットフォルダを所定の時間ごとに監視するための監視手段と、監視手段によって印刷データを検知した場合に、前記ホットフォルダ情報に定められた条件をチェックするチェック手段と、前記チェック手段によって条件を満たした場合に、印刷ジョブとして出力する手段とを備えることを特徴とする。
【０００８】
ホットフォルダ内に保存された印刷データに対して、ページ単位にカラーページ、白黒ページとを自動的に判断する判断手段とを備えることを特徴とする。
【０００９】
色のお気に入りをホットフォルダ情報におけるカラー設定に設定する手段と、前記設定手段によってホットフォルダごとに色のお気に入りを個別に設定する手段と、印刷ジョブごとにカラー設定に設定した色のお気に入りを選択する手段とを備えることを特徴とする。
【００１０】
カラー設定に設定する色のお気に入りが、カラーページ用と白黒ページ用とを設定可能な手段を備えることを特徴とする。
【００１１】
印刷データにカラーページと白黒ページが混在する印刷ジョブに対して、カラーページにはカラー用のカラー設定である色のお気に入りを適用する手段と、白黒ページには白黒用のカラー設定である色のお気に入りを適用する手段とを、印刷実行時に自動的に適用し印刷する手段とを備えることを特徴とする。
【発明の効果】
【００１２】
以上、説明したように本発明の画像処理装置および制御方法によれば、大量に複数部数の印刷処理を行う印刷システムにおいては、色に関しての管理が不十分になり、比較的カラーの知識に乏しい印刷オペレータ任せでは、カラーの統一性が欠け生成物の失敗コストが増す傾向に成りがちである。印刷拠点が分散した環境ではなお更である。そこで、本発明の色に関する管理者である「カラー管理者」を置き、そのカラー管理者が各プリンタの状況を把握した上で作成したカラー設定情報データである「色のお気に入り」を、各プリンタの印刷オペレータに対して供給することでカラーの統一化が図れ、また、色のお気に入りをホットフォルダに設定し、カラーページ用と白黒ページ用とを定義でき、さらにカラーページと白黒ページを自動判別する機能を有することで、今までカラーページも白黒ページも同じ設定を使用するため、カラーページを基準に調整をすることで白黒ページに影響を与えてしまい、同一ジョブで印刷する際に失敗コストが嵩んでしまったり、印刷オペレータが前記失敗を防ぐためにカラーページと白黒ページのジョブを意識的に分けて印刷処理をしていたが、本発明を利用することで印刷オペレータはカラーページと白黒ページを分けて調整が可能になり、カラーページと白黒ページを自動判別することでホットフォルダの定義が済めば、カラーページ白黒ページ混在のドキュメントも意識することなく印刷処理が品質的にも時間的にも効率的な効果が生まれる環境を提供できることを特徴とする。
【発明を実施するための最良の形態】
【００１３】
次に、本発明の詳細を実施例の記述に従って説明する。
【００１４】
以下、添付図面を参照しながら本発明の好適な実施例の形態を説明する。
【００１５】
＜印刷システム構成と装置の説明＞
図１は、本発明の一実施の形態である印刷システムの構成と装置の説明を示す模式図である。以下、図１を用いて印刷システムの構成について説明する。
【００１６】
図１のように印刷拠点１００は、クライアントPCによって編集アプリケーションで作成された文書や画像データ等を含んだ印刷データであるドキュメントデータを、印刷ジョブとして登録処理を行う印刷制御装置を搭載し、登録印刷ジョブを自動あるいは手動的に実行し印刷・製本を行うシステムである。この印刷システムの構成は、印刷システム全体の色調整操作を一手に請け負うカラー管理者クライアントPC１０１、それに接続する測色機１１０、カラーマッチングサーバPC１０２、ホットフォルダ管理サーバーPC１０３、印刷・製本を行うカラープリンタＡ１０４，カラープリンタＢ１０５，白黒プリンタ１０６、印刷の実作業を行う印刷オペレータPC１０７、それに接続する測色機１１１、印刷システム内をネットワーク線で結ぶネットワークI/F LAN/WAN１０８、別の印刷拠点との接続する外部線１０９になっている。
【００１７】
印刷オペレータは、複数のプリンタより目的や条件・状態に応じて適宜にプリンタを選択し印刷・製本を行う。例えば、白黒印刷をする場合は白黒プリンタ１０６を、カラー印刷をする場合はカラープリンタA１０４を、カラー印刷でなおかつ印刷スピードを要求する場合は、カラープリンタA１０４とカラープリンタB１０５で並行印刷（クラスタリング）を実施することが予想される。
【００１８】
カラー管理者クライアントPC１０１は、印刷拠点内の印刷システム１００および外部線１０９で接続された遠隔地の印刷拠点における各プリンタの色管理を行うカラー管理者のクライアントPCである。カラー管理者とは、カラー知識に乏しいオペレータに代わり各プリンタの色管理を一手に管理・調整する印刷システム内のカラーの番人である。カラー管理者クライアントPC１０１では、ネットワークI/F LAN/WAN１０８上の各プリンタにおけるターゲット出力機のICCプロファイルを保持・管理し、管理する手段として後述する「色のお気に入り」というデータ単位で行う。カラー管理者クライアントPC１０１の内部処理として図５に示す。まず、ネットワークI/F LAN/WAN１０８に接続されたネットワークI/F５１１より取り込んだ接続デバイス情報を外部データ受信部５１２で取得し、カラー管理の処理の中枢であるカラー管理制御部５１３へと処理が移行される。ここでの接続デバイス情報とは、ネットワークI/F LAN/WAN１０８に接続されたプリンタデバイスの測色パッチデータから得られた測色データや、各プリンタ固有のアウトプットプロファイルを意味する。次に、カラー管理制御部５１３より新規にプロファイルを作成する必要がある場合は、測色機５１７を測色機制御部５１６によって制御し、測色データを取得しプロファイル作成モジュール５１５によって、測色データよりプロファイルの作成を行い色のお気に入り作成モジュール５１４において、前記作成データより色のお気に入りを作成する流れとなる。また、プロファイルの作成が必要でない場合は、外部より取り込んだデータをもとに色のお気に入り作成モジュール５１４にて同様の処理を行う。作成された色のお気に入りは色のお気に入り管理部５１８にて保持・管理される。作成された色のお気に入りは、色のお気に入り管理部５１８より色のお気に入り送信部５１９を経て、ネットワークI/F LAN/WAN１０８に接続された、印刷の実作業を行う印刷オペレータPC１０７へと送信される。ここで「色のお気に入り」について図１４を用いて説明する。色のお気に入りとは、プリンタドライバの印刷目的ごとのお気に入り設定から、色に関する設定のみを取り出して一纏めにしたものであり、プリンタのターゲットプロファイル、アウトプットプロファイルは用紙情報に紐づく構成になっている。色のお気に入りは、色のお気に入り情報部５２１からなり用紙情報５２２とオブジェクト別情報部５２３が存在する。用紙情報５２２は印刷対象の用紙をベースとしたものであり、色のお気に入りは用紙ごとに作成されるものである。オブジェクト別情報部５２３は、テキストオブジェクトカラーマッチング情報５２４、イメージオブジェクトカラーマッチング情報５２５、グラフィックオブジェクトカラーマッチング情報５２６の３つに分かれる。本発明ではオブジェクトの種別（テキスト・イメージ・グラフィック）ごとにカラーマッチング指定が可能である。以下にそれぞれのオブジェクトごとカラーマッチング情報の構成を説明する。１つ目はテキストオブジェクトカラーマッチング情報５２４で、RGB色分解情報５２４−１、スポットカラーシミュレーション情報５２４−２、ターゲット(RGB)情報部５２４−３としてその種類とレンダリングインテントの指定が、ターゲッ���(CMYK)情報部５２４−４としてその種類とレンダリングインテントの指定が、適用スポットカラー情報部５２４−５としてその種類とレンダリングインテントの指定が、適用コーポレートカラー情報部５２４−６としてその種類とレンダリングインテントと埋込プロファイル無視情報と純ブラック維持情報の各指定が存在する。２つ目はイメージオブジェクトカラーマッチング情報５２５で、RGB色分解情報５２５−１、ターゲット(RGB)情報部５２５−２としてその種類とレンダリングインテントの指定が、ターゲット(CMYK)情報部５２５−３としてその種類とレンダリングインテントの指定が、適用コーポレートカラー情報部５２５−４としてその種類とレンダリングインテント、埋込プロファイル無視情報、純ブラック維持情報の各指定が存在する。３つ目はテキストオブジェクトカラーマッチング情報５２６で、RGB色分解情報５２６−１、スポットカラーシミュレーション情報５２６−２、ターゲット(RGB)情報部５２６−３としてその種類とレンダリングインテントの指定が、ターゲット(CMYK)情報部５２６−４としてその種類とレンダリングインテントの指定が、適用スポットカラー情報部５２６−５としてその種類とレンダリングインテントの指定が、適用コーポレートカラー情報部５２６−６としてその種類とレンダリングインテントと埋込プロファイル無視情報と純ブラック維持情報の各指定が存在する。
【００１９】
カラーマッチングサーバPC１０２は、実際のカラーマッチング処理を実施するもので、色のお気に入りの情報に含まれた、ソースプロファイルに相当するターゲットプリンタデバイスICCプロファイル、アウトプットプロファイルに相当するネットワークI/F LAN/WAN１０８に接続されたプリンタ固有のICCプロファイルを用いてカラーマッチング処理を実施する。カラーマッチングサーバPC１０２の内部操作を図４で簡単に示す。ネットワークI/F LAN/WAN１０８に接続されたネットワークI/F４０１より取り込んだ画像データを、画像データ受信部４０２で取得し、４０３にて受信画像データをカラーマッチングモジュールへ出力するため前記プロファイルを含んだパラメータの設定が行われる。印刷オペレータPC１０７より渡された後述する印刷ジョブに含まれる画像データをもとに、カラーマッチングモジュール４０４にて処理された画像データは、４０５にてカラーマッチング処理後のデータを取得し、４０６画像データ送信部に転送され、ネットワークI/F４０１経てネットワークI/F LAN/WAN１０８に接続された印刷ジョブ内で指定されたプリンタにマッチング処理データを送るものである。ただし、前記カラーマッチングサーバPC１０２の処理は、ネットワークI/F LAN/WAN１０８に接続された、印刷・製本を行うカラープリンタＡ１０４，カラープリンタＢ１０５，白黒プリンタ１０６内部でカラーマッチングエンジンを所有しない場合であり、前記プリンタ内部でカラーマッチング処理が可能であればカラーマッチングサーバPC１０２は使用せずに、直接プリンタ内部でカラーマッチング処理を実施することになる。図３に、カラーマッチング処理を所有するプリンタの処理の流れを簡単に述べる。ネットワークI/F LAN/WAN１０８に接続されたネットワークI/F３０１より取り込んだ画像データを画像データ受信部３０２で取得し、３０３にて受信画像データをカラーマッチングモジュールへ出力を行い、３０４カラーマッチングモジュールにてカラーマッチング処理を施し、カラーマッチング処理後の画像データをラスタデータ変換部３０５にて出力プリンタが扱えるデータに変換し、補正処理部３０６にてプリンタ固有の補正処理を行い、補正後のラスタデータを印字部３０７にて印字を行う流れとなる。ここで、プリンタ内部にカラーマッチングモジュールが存在しない場合は、前記画像データ受信部３０２からラスタデータ変換部３０５への流れとなる。
【００２０】
＜ホットフォルダ管理サーバー装置の説明＞
図２は、本発明の一実施形態に係る画像処理装置のホットフォルダ管理サーバーPC１０３の構成を示すブロック図である。但し、ＣＰＵ２０６内はその機能部分をＲＡＭ２１０内にはプログラムの所在をそれぞれ模式的に表している。
【００２１】
図２のこの画像処理装置において、２０１はＣＲＴ（表示装置）であり、その表示画面には、例えば編集中の文書・図形・画像イメージなどの編集情報、アイコン・メッセージ・メニューその他のユーザインターフェース情報が表示される。２０２はＶＲＡＭであり、ＣＲＴ２０１の表示画面に表示するための画像が描画される。このＶＲＡＭ２０２にて生成された画像データは、所定の規定に従ってＣＲＴ２０１に転送され、これによりＣＲＴ２０１に画像が表示される。２０３はビットムーブユニット（ＢＭＵ）であり、メモリ間（例えばＶＲＡＭ２０２と他のメモリ）のデータ転送や、メモリとＩ／Ｏデバイス（例えば、後述するネットワークインターフェース２１６）との間のデータ転送を制御する。２０４はキーボードであり、文書等を入力するための各種キーを有する。２０５はポインティングデバイスであり、例えばＣＲＴ２０１の表示画面上に表示されたアイコン・メッセージ・メニューその他のオブジェクトを指示するために使用される。２０６はＣＰＵであり、後述するＲＯＭ２１３、ハードディスク２１４またはフレキシブルディスク２１５に格納された制御プログラムに基づいてＣＰＵ２０６に接続された各デバイスを制御する。ＣＰＵ２０６内部では、後述するＲＡＭ２１０内にある印刷制御プログラム２１１、および監視プログラム２１２を実行することによって、ハードディスク２１４内の各フォルダを監視するホットフォルダ監視部２０７としての機能を有するとともに、各ホットフォルダに保存されたドキュメントデータのうち、後述するホットフォルダ情報にもとづき自動的に印刷出力を行う印刷ジョブ登録部２０８としての機能をも有し、さらには後述する印刷機２１９を制御して印刷データを印刷出力させ印刷ジョブを実行する印刷ジョブ実行部２０９としての機能をも有するものである。また、ホットフォルダ監視プログラム２１１および印刷制御プログラム２１２は、予めＲＯＭ２１３またはハードディスク２１４フレキシブルディスク２１５に記憶しておき、ＲＡＭ２１２に読み出して記憶して用いるものとしてもよい。その場合は、ＲＯＭ２１３ハードディスク２１４が記憶媒体として機能するものである。２１３はＲＯＭであり、各種の制御プログラムやデータを保持する。２１０はＲＡＭであり、ＣＰＵ２０６のワーク領域、エラー処理時のデータの退避領域として使われ、制御プログラムのロード領域等を有する。２１４はハードディスクドライブ（ＨＤＤ）である。ハードディスクドライブ２１４は、情報処理装置内で実行される各制御プログラムやコンテンツを格納することができる。例えば、ユーザクライアントＰＣのハードディスクドライブ２１４には、ＷＥＢブラウザ、電子アルバムデータ、アルバム編集プログラムなどが格納されている。２１５はフレキシブルディスクドライブ（ＦＤＤ）であり、フレキシブルディスクに対するアクセス制御を行う。２１６はネットワークインターフェースであり、他の情報処理装置やプリンタ等とネットワーク網２２０を介して通信を行うことが可能である。２２０はネットワーク網であり、オンラインで接続された他の情報処理装置と通信を行うものである。２１７はＣＰＵバスであり、アドレスバス、データバスおよびコントロールバスを含むものである。ＣＰＵ２０６に対する制御プログラムの提供は、ＲＯＭ２１３、ハードディスクドライブ２１４、フレキシブルディスクドライブ２１５から実施することも可能で、ネットワーク網２２０を介して他の情報処理装置等から実施することも可能である。ただし、前記ホットフォルダ管理サーバーPC１０３の処理は、ネットワークI/F LAN/WAN１０８に接続された、ホットフォルダを管理する独立したサーバーＰＣを立てた場合であり、前記印刷オペレータPC１０７内部でホットフォルダの作成が可能であればホットフォルダ管理サーバーPC１０３は使用せずにホットフォルダ処理を実施することになる。
【００２２】
＜第１の実施例＞
図７にて、色のお気に入りでのやり取りをカラー管理者と印刷オペレータ間という例を模式図で説明する。印刷拠点７０２に所属する印刷オペレータ７０３は、制御するプリンタに対して７０６にてプリンタ情報の問い合わせを行い、問い合わせに対する答えとして７０７にてプリンタ情報の取得をする。ここでは、プリンタに測色用のパッチ出力を実施し測色値を取得するものとする。取得したプリンタの情報は、カラー管理者７０１へ、印刷拠点プリンタの情報を送信７０８として送られる。送られた情報は、カラー管理者７０１のもとで、前記図５、図１４で説明した流れで色のお気に入りが作成される。色のお気に入りは印刷拠点７０２へ色のお気に入りを送信７０４にて、印刷拠点７０２に所属する印刷オペレータ７０３に送られ、色のお気に入りで色調整７１０を実施し印刷実行７０５され印刷結果７０９が得られる。図６では、色のお気に入りを遠隔地の印刷拠点への受け渡しを表す模式図である。６０１はカラー管理者が所属し、色のお気に入り６０２を遠隔地の印刷拠点へ配信する東京本社であり、ネットワーク６０３を経て印刷拠点である大阪支社６０５、札幌支社６０７に対してそれぞれ色のお気に入り６０４，６０６を配信する。
【００２３】
前記の説明どおり、本発明では色調整に関する責任者をカラー管理者と定め、このカラー管理者が管理するプリンタのオペレータに対して、色のお気に入りというデータ単位でカラー調整項目を送信する方法である。そこで、本発明の特徴として前記ホットフォルダに投げ込まれたカラーページと白黒ページが混在する印刷ジョブに対して、カラーページと白黒ページの自動判別を行い、前記色のお気に入りにおいてカラーページ用の色調整と白黒ページ用の色調整の両方を定義でき、なおかつ色のお気に入りをホットフォルダの色調整にそのまま定義可能な特徴がある。
【００２４】
そこで、図１１に印刷ドキュメントをホットフォルダに投げ込み印刷実行までの流れを簡単に模式図で示す。例として、ホットフォルダＡ１１０１は単体ドキュメント１１０２を投げ込んだホットフォルダ。同様に、ホットフォルダＢ１１０４は複数ドキュメント１１０５を投げ込んだホットフォルダ。サブフォルダ１１０９は複数ドキュメント１１０８を含み、ホットフォルダＣ１１０７に対してフォルダごと投げ込むホットフォルダ。ホットフォルダには、情報部としてホットフォルダＡ情報１１０３，ホットフォルダＢ情報１１０６，ホットフォルダＣ情報１１１０がそれぞれ独立して存在する。前記ホットフォルダをホットフォルダ監視プログラム１１１１にて監視を行い、後述図１２で示す流れで印刷ジョブ１１１３に登録処理１１１２を行う流れとなる。図８では、ホットフォルダ監視プログラムにおける処理の大まかな流れをフローチャートで説明する。Ｓ８０１では管理下のホットフォルダのホットフォルダ情報を監視プログラム内へ読み込み、Ｓ８０２任意の間隔で対象ホットフォルダ内のアクション待ちを行い、Ｓ８０３にてフォルダ内にドキュメントが入稿されたかをチェックし、入稿があった場合に、Ｓ８０４にてホットフォルダ情報の定義の印刷有効データチェックを行い、条件が揃うまで繰り返し待ち状態が続く。前記条件が通った場合に、Ｓ８０５では投入された印刷ドキュメントに対してページ単位で色のお気に入り設定処理を行う。処理の説明は後述図１２を用いて説明する。Ｓ８０６にて、カラー設定以外の情報を印刷ジョブ情報へ登録し、Ｓ８０７にて印刷ジョブへ登録となる。
【００２５】
図１２において、ホットフォルダに投げ込まれたカラーページと白黒ページが混在する印刷ジョブに対して、カラーページと白黒ページを自動判別する処理の流れをフローチャートで示す。Ｓ１２０１において入稿されたドキュメントのＰＤＬ（Page Description Language：Adobe社のPostscript登録商標  言語に代表されるもの）を受信する。Ｓ１２０２にてページ情報をチェックし、ここでページ情報がない場合は当該処理を終了する。次にＳ１２０３にて１ページ分のページ情報を読み込む。Ｓ１２０４では読み込んだ１ページのＰＤＬよりカラーデータが存在するかをチェック、Ｓ１２０４にてカラー情報が存在する場合は、Ｓ１２０５でカラーページ用に設定した色のお気に入りを適用させる。また、Ｓ１２０４にてカラー情報が存在しないと判別した場合は、Ｓ１２０６にて白黒ページ用に設定した色のお気に入りを適用させる。Ｓ１２０７で前記適用した色のお気に入りを印刷ジョブ情報へ書き込みを行う。Ｓ１２０８で次ページを処理するため内部情報のページ参照カウンタをカウントアップさせＳ１２０２へ戻る。この処理をページ数分繰り返す。
【００２６】
図９、図１０において、ホットフォルダにおける色のお気に入りの設定方法についてダイアログを使って説明する。図９では、図９−(Ａ)としてホットフォルダコントロールパネル９０１、図９−(Ｂ)にはホットフォルダ情報が設定可能なホットフォルダプロパティダイアログ９０８が示されている。図９−(Ａ)には、ホットフォルダ情報を参照するプロパティボタン９０２、環境設定ボタン９０３、ホットフォルダを追加作成する追加ボタン９０４、ホットフォルダの削除を行う削除ボタン９０５、ホットフォルダの稼動・停止を制御する稼動・停止ボタン９０６、実際のホットフォルダの状態などをリスト上で一望できるホットフォルダ一覧リスト９０７がある。ホットフォルダ一覧リスト９０７より、任意のホットフォルダを選択後、プロパティボタン９０２を選択すると、図９−(Ｂ)のホットフォルダ情報が設定可能なホットフォルダプロパティダイアログ９０８が表示される。選択したホットフォルダの設定先を表すフォルダパス９０９、前記フォルダパス９０９を変更する手段である選択ボタン９１０、ホットフォルダが指定されているサーバー９１１、前記サーバーを変更する手段である選択ボタン９１２、カラーページに対する色のお気に入りを設定するカラーページ設定９１３、前記カラーページ設定を変更する手段である設定ボタン９１４、白黒ページに対する色のお気に入りを設定する白黒ページ設定９１５、前記白黒ページ設定を変更する手段である設定ボタン９１６、このホットフォルダで有効なデータを表す拡張子指定９１５がある。前記カラーページ設定の設定ボタン９１４を選択すると、図１０−(Ａ)のホットフォルダカラーページ設定ダイアログ１００１が表示される。ここでは、設定可能な色のお気に入りリスト１００２、色のお気に入りごとにつけられたコメント１００３がある。色のお気に入りリスト１００２中には、デフォルトが存在し、これを選択するとシステムで定められたカラー設定が適用されることになる。前記白黒ページ設定の設定ボタン９１６を選択すると、図１０−(Ｂ)のホットフォルダ白黒ページ設定ダイアログ１００４が表示される。ここでは、設定可能な色のお気に入りリスト１００５、色のお気に入りごとにつけられたコメント１００６がある。色のお気に入りリスト１００５中には、デフォルトが存在し、これを選択するとシステムで定められたカラー設定が適用されることになる。
【００２７】
図１３にて、カラーページと白黒ページが混在する印刷ドキュメントを印刷する際に、色のお気に入りを適用することで簡素化されたホットフォルダを利用した印刷の流れを簡単にフローチャートで説明する。Ｓ１３０１にてホットフォルダコントロールパネルを起動し、ホットフォルダを作成するＳ１３０２。前記作成中にＳ１３０３で示す色のお気に入りを適宜にカラー設定で指定を行う。Ｓ１３０４にて色調整テーブル作成作業を行う。色のお気に入りを導入することで色調整テーブルとプロファイルの関連付けは済んでおり、Ｓ１３０５にてホットフォルダへドキュメントを投入し、ホットフォルダの機能より印刷ジョブ出力Ｓ１３０６され、Ｓ１３０７にて出力結果を判断する流れとなる。ここでＮＧの場合はＳ１３０４色調整テーブル作成作業へと戻る。
【００２８】
以上により、一連の画像処理装置および制御が完了することになる。
【００２９】
＜第２の実施例＞
また、前記実施例ではカラーページと白黒ページが混在した印刷ドキュメントを例に示したが、これはカラーページのみや白黒ページのみの印刷ドキュメントをホットフォルダに投入しても構わない。カラーページのみの印刷ドキュメントではカラーページ用の色のお気に入りが、白黒ページのみの印刷ドキュメントでは白黒ページ用の色のお気に入りが適用され、印刷オペレータは意識することなくオペレーションが実行できる。
【図面の簡単な説明】
【００３０】
【図１】本発明に係る一実施例の形態である印刷システムの構成と装置の説明を示す模式図
【図２】本発明に係る一実施例の画像処理装置におけるホットフォルダ管理サーバーの構成を示すブロック図
【図３】本発明に係る一実施例のカラーマッチング処理を有するプリンタ内部処理を表した説明図
【図４】本発明に係る一実施例のカラーマッチングサーバの内部処理を表した模式図
【図５】本発明に係る一実施例のカラー管理者ＰＣの内部処理を表した模式図
【図６】本発明に係る一実施例の色のお気に入りを印刷拠点間へ受け渡しを表す模式図
【図７】本発明に係る一実施例の色のお気に入りをカラー管理者と印刷オペレータ間でやり取りを簡単に示す模式図
【図８】本発明に係る一実施例のホットフォルダ監視プログラムにおける処理を表すフローチャート
【図９】実施例のホットフォルダ設定方法をCMS Utility上での操作手順を表した模式図
【図１０】実施例のホットフォルダ設定方法におけるカラーページおよび白黒ページにおける色のお気に入り設定をCMS Utility上での操作手順を表した模式図
【図１１】本発明に係る一実施例の印刷ドキュメントをホットフォルダに投げ込み印刷実行までの流れを簡単に示す模式図
【図１２】本発明に係る一実施例におけるホットフォルダに投げ込まれたカラーページと白黒ページが混在する印刷ジョブに対して、カラーページと白黒ページを自動判別する処理を表すフローチャート
【図１３】本発明に係る一実施例の色のお気に入りを利用したホットフォルダでの処理を表すフローチャート
【図１４】本発明に係る一実施例の色のお気に入りにおける内部情報の説明図
【符号の説明】
【００３１】
２０１  ＣＲＴ
２０２  ビデオＲＡＭ(ＶＲＡＭ)
２０３  ＢＭＵ
２０４  キーボード
２０５  ＰＤ(ポインティングデバイス)
２０６  ＣＰＵ
２１０  ＲＡＭ
２１３  ＲＯＭ
２１４  ＨＤＤ(ハードディスクドライブ)
２１５  ＦＤＤ(フレキシブルディスクドライブ)
２１６  Net-I/F
２１７  ＣＰＵバス
２１８  クライアントＰＣ
２１９  印刷機
２２０  ネットワーク網
【図１】
2007018159.tif 000003
【図２】
2007018159.tif 000004
【図３】
2007018159.tif 000005
【図４】
2007018159.tif 000006
【図５】
2007018159.tif 000007
【図６】
2007018159.tif 000008
【図７】
2007018159.tif 000009
【図８】
2007018159.tif 000010
【図９】
2007018159.tif 000011
【図１０】
2007018159.tif 000012
【図１１】
2007018159.tif 000013
【図１２】
2007018159.tif 000014
【図１３】
2007018159.tif 000015
【図１４】
2007018159.tif 000016